(57)【特許請求の範囲】
【請求項１】
モノクロ画像形成処理およびカラー画像形成処理を行うタンデム型の画像形成装置であって、
表面に単色カラートナー像を担持する複数の第１感光体ドラムと、
表面にブラックトナー像を担持する第２感光体ドラムと、
前記複数の第１感光体ドラムおよび前記第２感光体ドラムとの当接状態において、前記複数の第１感光体ドラムおよび前記第２感光体ドラムの少なくとも一方からトナー像が転写される中間転写ベルトと、
転写後の前記複数の第１感光体ドラムおよび前記第２感光体ドラムに残留したトナーを除去するために前記複数の第１感光体ドラムおよび前記第２感光体ドラムのそれぞれに摺接する複数のクリーニングブレードと、
カラー画像形成処理が終了した後に、前記複数の第１感光体ドラムおよび前記第２感光体ドラムと前記中間転写ベルトとの当接状態を離間状態に切り替える切替機構と、
前記切替機構によって前記複数の第１感光体ドラムおよび前記第２感光体ドラムと前記中間転写ベルトとを離間状態に切り替えた後に、前記複数の第１感光体ドラムを逆回転させる逆回転機構と、
を備え、
前記切替機構は、モノクロ画像形成処理が終了した後に、前記複数の第１感光体ドラムおよび前記第２感光体ドラムと前記中間転写ベルトとの当接状態を離間状態に切り替えず、
前記逆回転機構は、モノクロ画像形成処理が終了した後に、前記複数の第１感光体ドラムを逆回転させない
画像形成装置。
【請求項２】
前記逆回転機構は、前記第２感光体ドラムを逆回転させない
請求項１に記載の画像形成装置。
【請求項３】
モノクロ画像形成処理およびカラー画像形成処理を行うタンデム型の画像形成装置であって、
表面に単色カラートナー像を担持する複数の第１感光体ドラムと、
表面にブラックトナー像を担持する第２感光体ドラムと、
前記複数の第１感光体ドラムおよび前記第２感光体ドラムとの当接状態において、前記複数の第１感光体ドラムおよび前記第２感光体ドラムの少なくとも一方からトナー像が転写される中間転写ベルトと、
転写後の前記複数の第１感光体ドラムおよび前記第２感光体ドラムに残留したトナーを除去するために前記複数の第１感光体ドラムおよび前記第２感光体ドラムのそれぞれに摺接する複数のクリーニングブレードと、
カラー画像形成処理が終了した後に、前記複数の第１感光体ドラムおよび前記第２感光体ドラムと前記中間転写ベルトとの当接状態を離間状態に切り替える切替機構と、
前記切替機構によって前記複数の第１感光体ドラムおよび前記第２感光体ドラムと前記中間転写ベルトとを離間状態に切り替えた後に、前記複数の第１感光体ドラムを逆回転させる逆回転機構と、
を備え、
前記逆回転機構は、前記第２感光体ドラムを逆回転させない
画像形成装置。
【請求項４】
前記切替機構は、モノクロ画像形成処理が終了した後に、前記複数の第１感光体ドラムおよび前記第２感光体ドラムと前記中間転写ベルトとの当接状態を離間状態に切り替えず、
前記逆回転機構は、モノクロ画像形成処理が終了した後に、前記複数の第１感光体ドラムを逆回転させない
請求項３に記載の画像形成装置。
【請求項５】
前記逆回転機構は、前記複数の第１感光体ドラムを微小角度逆回転させる
請求項１〜４のいずれか１項に記載の画像形成装置。
【請求項６】
前記逆回転機構は、前記複数の第１感光体ドラムと前記複数のクリーニングブレードとの間にたまったトナーの圧力を解除する角度だけ前記複数の第１感光体ドラムを逆回転させる
請求項５に記載の画像形成装置。
【請求項７】
前記逆回転機構は、前記複数の第１感光体ドラムを周長数ミリ逆回転させる
請求項６に記載の画像形成装置。
【発明の詳細な説明】
【技術分野】
【０００１】
本発明は、感光体ドラムとクリーニングブレードとの間にたまったトナーの圧力を解除する画像形成装置に関する。
【背景技術】
【０００２】
トナー像転写後の感光体ドラム上に残留したトナー等の不要物を除去するクリーニング手段として、クリーニングブレードの先端稜線部を感光体ドラムに摺接させて、感光体ドラム上のトナーを除去している。このため、継続使用によって、感光体ドラムとクリーニングブレードとの間にトナーがたまっていく。これを放置すると、感光体ドラムとクリーニングブレードとの間をトナーがすり抜けることにより、トナー飛散あるいは形成画像上に黒スジまたは白スジが現れる等の異常画像が発生する原因となる虞がある。
【０００３】
そこで、感光体ドラムを正逆両方向に回転駆動できる駆動手段を設け、非画像形成時に感光体ドラムを画像形成時における回転方向とは逆方向に回転して、クリーニングブレードの先端稜線部に付着しているトナーを先端稜線部から剥離させて除去する画像形成装置が開示されている（例えば、特許文献１参照。）。
【先行技術文献】
【特許文献】
【０００４】
【特許文献１】特開２００９−１７５６５７号公報
【発明の概要】
【発明が解決しようとする課題】
【０００５】
しかしながら、二次転写方式の画像形成装置においては、感光体ドラムと中間転写ベルトとが接触しているため、この状態において特許文献１の技術を適用すると、感光体ドラムと中間転写ベルトとが摺接するため、感光体ドラムの寿命に影響が出る虞がある。
【０００６】
そこで、本発明の目的は、上記課題に鑑み、感光体ドラムの寿命に影響を与えることなく、感光体ドラムとクリーニングブレードとの間にたまったトナーの圧力を解除することができる画像形成装置を提供することにある。
【課題を解決するための手段】
【０００７】
本発明の画像形成装置は、モノクロ画像形成処理およびカラー画像形成処理を行うタンデム型の画像形成装置であって、複数の第１感光体ドラム、第２感光体ドラム、中間転写ベルト、複数のクリーニングブレード、切替機構および逆回転機構を備える。
【０００８】
複数の第１感光体ドラムは、表面に単色カラートナー像を担持する。第２感光体ドラムは、表面にブラックトナー像を担持する。中間転写ベルトは、複数の第１感光体ドラムおよび第２感光体ドラムとの当接状態において、複数の第１感光体ドラムおよび第２感光体ドラムの少なくとも一方からトナー像が転写される。複数のクリーニングブレードは、転写後の複数の第１感光体ドラムおよび第２感光体ドラムに残留したトナーを除去するために複数の第１感光体ドラムおよび第２感光体ドラムのそれぞれに摺接する。
【０００９】
切替機構は、カラー画像形成処理が終了した後に、複数の第１感光体ドラムおよび第２感光体ドラムと中間転写ベルトとの当接状態を離間状態に切り替える。逆回転機構は、切替機構によって複数の第１感光体ドラムおよび第２感光体ドラムと中間転写ベルトとを離間状態に切り替えた後に、複数の第１感光体ドラムを逆回転させる。
【００１０】
この構成では、複数の第１感光体ドラムの逆回転を行うことにより、複数の第１感光体ドラムと複数のクリーニングブレードとの間にたまったトナーの圧力を解除することができるので、トナーのすり抜けによる画像不良の発生を防止することができる。
【００１１】
また、複数の第１感光体ドラムおよび第２感光体ドラムと中間転写ベルトとを非接触の状態で複数の第１感光体ドラムの逆回転を行うため、当該逆回転中に複数の第１感光体ドラムと中間転写ベルトとが摺接することがないので、複数の第１感光体ドラムの寿命への影響を低減することができるとともに複数の第１感光体ドラムの回転駆動系への負担を低減することができる。
【発明の効果】
【００１２】
本発明における画像形成装置は、感光体ドラムの寿命に影響を与えることなく、感光体ドラムとクリーニングブレードとの間にたまったトナーの圧力を解除することができる。
【図面の簡単な説明】
【００１３】
【図１】本発明の実施形態に係る画像形成装置の構成を示す正面図である。
【図２】第１感光体ドラムおよび第２感光体ドラムと中間転写ベルトとの当接状態を示す図である。
【図３】本発明の実施形態に係る画像形成装置の要部を示すブロック図である。
【図４】本発明の実施形態に係る画像形成装置の制御内容を示すフローチャートである。
【図５】第１感光体ドラムおよび第２感光体ドラムと中間転写ベルトとの離間状態を示す図である。
【図６】第１感光体ドラムとクリーニングブレードとの間にたまったトナーの状態を示す図である。
【図７】第１感光体ドラムの逆回転により、第１感光体ドラムとクリーニングブレードとの間にたまったトナーが分散する状態を示す図である。
【図８】逆回転機構の変形例を示す図である。
【発明を実施するための形態】
【００１４】
以下、本発明の実施形態に係る画像形成装置を、図面を参照しつつ詳細に説明する。
【００１５】
図１は、本発明の実施形態に係る画像形成装置１０の構成を示す正面図である。
【００１６】
画像形成装置１０は、モノクロ画像形成処理またはフルカラー画像形成処理のいずれかの画像形成処理を行い、画像データに基づいて用紙に単色または多色の画像を形成する。用紙として、普通紙、厚紙、印画紙、ＯＨＰフィルム等のシート状の記録媒体が挙げられる。
【００１７】
画像形成装置１０は、複数の画像形成部２０Ａ，２０Ｂ，２０Ｃ，２０Ｄ、中間転写ユニット３０、二次転写ユニット４０、定着装置５１、用紙搬送路５２、給紙カセット５３、手差しトレイ５４、排紙トレイ５５およびＣＰＵ６０を備える。
【００１８】
画像形成装置１０は、ブラック、ならびに、カラー画像を色分解して得られる減法混色の３原色であるシアン、マゼンタおよびイエローの４色の各色相に対応した画像データを用いて、電子写真方式の画像形成処理を行う。画像形成部２０Ａ〜２０Ｄでは、各色相のトナー像（現像剤像）が形成される。画像形成部２０Ａ〜２０Ｄは、中間転写ユニット３０に沿って水平方向に一列に配置されている。
【００１９】
以下では、主として画像形成部２０Ａについて説明する。画像形成部２０Ｂ〜２０Ｄは、画像形成部２０Ａと実質的に同様に構成されている。ブラックの画像形成部２０Ａは、感光体ドラム２１Ａ、帯電装置２２Ａ、露光装置２３Ａ、現像装置２４Ａ、およびクリーニングユニット２５Ａを備え、電子写真方式の画像形成プロセスを経て、ブラックのトナー像を形成する。
【００２０】
感光体ドラム２１Ａ、および画像形成部２０Ｂ〜２０Ｄにそれぞれ備えられる感光体ドラム２１Ｂ，２１Ｃ，２１Ｄは、図３に示す駆動モータ２６から駆動力を伝達されることで、画像形成処理時には一方向に回転する。感光体ドラム２１Ａはモノクロ用像担持体であり、感光体ドラム２１Ｂ〜２１Ｄはカラー用像担持体である。
【００２１】
帯電装置２２Ａは、感光体ドラム２１Ａの周面に対向するように配置され、感光体ドラム２１Ａの周面を所定の電位に帯電させる。
【００２２】
露光装置２３Ａは、ブラック用の画像データによって変調されたレーザビームを感光体ドラム２１Ａの周面に照射する。これによって、感光体ドラム２１Ａの周面に、ブラック用の画像データに基づく静電潜像が形成される。
【００２３】
現像装置２４Ａは、ブラックのトナー（現像剤）を収容している。現像装置２４Ａは、感光体ドラム２１Ａの周面にトナーを供給することで、静電潜像をトナー像に現像する。
【００２４】
なお、画像形成部２０Ｂ〜２０Ｄのそれぞれの現像装置２４Ｂ〜２４Ｄには、シアン、マゼンタおよびイエローの各色のトナーが収容されており、画像形成部２０Ｂ〜２０Ｄのそれぞれの感光体ドラム２１Ｂ〜２１Ｄには、シアン、マゼンタおよびイエローの各色相のトナー像が形成される。
【００２５】
中間転写ユニット３０は、中間転写ベルト３１、中間転写駆動ローラ３２、中間転写従動ローラ３３、中間転写ローラ３４Ａ〜３４Ｄおよび中間転写ベルト用クリーニングユニット３５を有している。
【００２６】
中間転写ベルト３１は、無端ベルト状であり、中間転写駆動ローラ３２と中間転写従動ローラ３３とに張架され、所定方向へ周回移動する。中間転写ベルト３１の外周面は、画像形成部２０Ａ〜２０Ｄのそれぞれの感光体ドラム２１Ａ〜２１Ｄに対向している。
【００２７】
中間転写ローラ３４Ａ〜３４Ｄは、中間転写ベルト３１を挟んで感光体ドラム２１Ａ〜２１Ｄにそれぞれ対向するように配置されている。中間転写ベルト３１の外周面と感光体ドラム２１Ａ〜２１Ｄとが対向する領域が、中間転写領域である。
【００２８】
中間転写ローラ３４Ａ〜３４Ｄには、トナーの帯電極性（例えば、マイナス）と逆極性（例えば、プラス）の中間転写バイアスが定電圧制御によって印加される。これによって、感光体ドラム２１Ａ〜２１Ｄの周面に形成された各色相のトナー像は中間転写ベルト３１の外周面に順次重ねて中間転写され、中間転写ベルト３１の外周面にフルカラーのトナー像が形成される。
【００２９】
但し、イエロー、マゼンタ、シアンおよびブラックの色相の一部のみの画像データが入力された場合には、４個の感光体ドラム２１Ａ〜２１Ｄのうち、入力された画像データの色相に対応する一部のみにおいて静電潜像およびトナー像が形成される。例えば、モノクロ画像形成処理を行う場合は、ブラックの色相に対応した感光体ドラム２１Ａのみにおいて静電潜像およびトナー像が形成され、中間転写ベルト３１の外周面にはブラックのトナー像のみが転写される。
【００３０】
クリーニングユニット２５Ａは、現像および中間転写後における感光体ドラム２１Ａの周面に残留したトナーを回収する。
【００３１】
二次転写ユニット４０は、中間転写ベルト３１を挟んで中間転写駆動ローラ３２に接離自在に構成されている。中間転写ベルト３１と二次転写ユニット４０とが圧接する領域が二次転写領域である。
【００３２】
感光体ドラム２１Ａ〜２１Ｄは、二次転写領域に近い方から、ブラック用の感光体ドラム２１Ａ、シアン用の感光体ドラム２１Ｂ、マゼンタ用の感光体ドラム２１Ｃ、イエロー用の感光体ドラム２１Ｄの順に配置されている。中間転写ベルト３１の外周面に担持されたトナー像は、中間転写ベルト３１の移動によって、二次転写領域へ搬送される。
【００３３】
給紙カセット５３は、用紙を収容している。手差しトレイ５４には、不定形の用紙または厚紙が載置される。用紙搬送路５２は、給紙カセット５３または手差しトレイ５４から給紙された用紙を、二次転写領域および定着装置５１を経由して排紙トレイ５５へ導くように構成されている。
【００３４】
用紙搬送方向において二次転写領域の上流側近傍には、レジストローラ５６が配置されている。給紙カセット５３または手差しトレイ５４から用紙搬送路５２に給紙された用紙は、停止した状態のレジストローラ５６に突き当てられることで方向を補正され、所定のタイミングで回転を開始するレジストローラ５６によって二次転写領域へ供給される。用紙が二次転写領域へ供給されることで、用紙と中間転写ベルト３１とが密着する。
【００３５】
二次転写領域に所定の二次転写電界が形成されることによって、中間転写ベルト３１に担持されたトナー像が用紙に二次転写される。
【００３６】
中間転写ベルト３１に担持されたトナーのうち、用紙へ転写されずに中間転写ベルト３１上に残留したトナーは、中間転写ベルト用クリーニングユニット３５によって回収される。これによって、次工程での混色が防止される。
【００３７】
定着装置５１は、加熱ローラ５１１および加圧ローラ５１２を有している。加熱ローラ５１１と加圧ローラ５１２とは、互いに圧接している。定着装置５１は、加熱ローラ５１１と加圧ローラ５１２とのニップ部で用紙を挟み付けつつ搬送することで用紙を加熱および加圧し、これによって、トナー像を用紙に堅牢に定着させる。トナー像が定着した用紙は、排紙ローラ対５７によって排紙トレイ５５上へ排出される。
【００３８】
図２は、本発明の実施形態に係る画像形成装置１０の要部を示す正面図である。図３は、本発明の実施形態に係る画像形成装置１０の要部を示すブロック図である。
【００３９】
画像形成装置１０は、感光体ドラム２１Ａ〜２１Ｄ、中間転写ベルト３１、クリーニングブレード２５０Ａ〜２５０Ｄ、カム機構３６、駆動モータ２６、ＣＰＵ６０、ＲＯＭ６１およびＲＡＭ６２を備える。感光体ドラム２１Ｂ〜２１Ｄは、本発明の第１感光体ドラムに相当する。感光体ドラム２１Ａは、本発明の第２感光体ドラムに相当する。カム機構３６は、本発明の切替機構に相当する。駆動モータ２６は、本発明の逆回転機構に相当する。
【００４０】
感光体ドラム２１Ｂ〜２１Ｄは、表面に単色カラートナー像を担持する。感光体ドラム２１Ａは、表面にブラックトナー像を担持する。中間転写ベルト３１は、感光体ドラム２１Ａ〜２１Ｄとの当接状態において、感光体ドラム２１Ａ〜２１Ｄの少なくとも一つからトナー像が転写される。クリーニングブレード２５０Ａ〜２５０Ｄは、クリーニングユニット２５Ａ〜２５Ｄにそれぞれ設けられ、転写後の感光体ドラム２１Ａ〜２１Ｄに残留したトナーを除去するために感光体ドラム２１Ａ〜２１Ｄのそれぞれに摺接する。
【００４１】
カム機構３６は、カラー画像形成処理が終了した後に、感光体ドラム２１Ａ〜２１Ｄと中間転写ベルト３１との当接状態を離間状態に切り替える。駆動モータ２６は、カム機構３６によって感光体ドラム２１Ａ〜２１Ｄと中間転写ベルト３１とを離間状態に切り替えた後に、感光体ドラム２１Ｂ〜２１Ｄを逆回転させる。ＣＰＵ６０は、ＲＯＭ６１から制御プログラムを読みだして実行し、各部を総括的に制御する。ＲＡＭ６２は、ＣＰＵ６０のワーキングエリアとして活用される。
【００４２】
図４は、本発明の実施形態に係る画像形成装置１０の制御内容を示すフローチャートである。
【００４３】
ＣＰＵ６０は、カラー画像形成命令がされるまで待機する（Ｓ１０のＮ）。ＣＰＵ６０は、カラー画像形成命令がされたと判断すると（Ｓ１０のＹ）、カラー画像形成処理が終了するまで待機する（Ｓ２０のＮ）。ＣＰＵ６０は、カラー画像形成処理が終了したと判断すると（Ｓ２０のＹ）、感光体ドラム２１Ａ〜２１Ｄと中間転写ベルト３１との当接状態を離間状態に切り替える制御をカム機構３６を介して行う（Ｓ３０）。当該離間状態を図５に示す。その後、ＣＰＵ６０は、感光体ドラム２１Ｂ〜２１Ｄを逆回転させる制御を駆動モータ２６を介して行う（Ｓ４０）。
【００４４】
当該逆回転制御を行う前は、図６に示すように、感光体ドラム２１Ｂとクリーニングブレード２５０Ｂとの間にトナーＴがたまっている。この状態から、当該逆回転制御を行うと、図７に示すように、トナーＴが分散して感光体ドラム２１Ｂとクリーニングブレード２５０Ｂとの間におけるトナーＴの圧力が解除される。なお、図６では、感光体ドラム２１Ｂを例にとって説明したが、感光体ドラム２１Ｃ,２１Ｄについても同様である。
【００４５】
ＣＰＵ６０は、Ｓ４０の後、感光体ドラム２１Ａ〜２１Ｄと中間転写ベルト３１との離間状態を当接状態に切り替えて（Ｓ５０）、本実施形態の制御を終了する。
【００４６】
この構成では、感光体ドラム２１Ｂ〜２１Ｄの逆回転を行うことにより、感光体ドラム２１Ｂ〜２１Ｄとクリーニングブレード２５０Ｂ〜２５０Ｄとの間にたまったトナーＴの圧力を解除することができるので、トナーＴのすり抜けによる画像不良の発生を防止することができる。
【００４７】
また、感光体ドラム２１Ａ〜２１Ｄと中間転写ベルト３１とを非接触の状態で感光体ドラム２１Ｂ〜２１Ｄの逆回転を行うため、当該逆回転中に感光体ドラム２１Ｂ〜２１Ｄと中間転写ベルト３１とが摺接することがないので、感光体ドラム２１Ｂ〜２１Ｄの寿命への影響を低減することができるとともに感光体ドラム２１Ｂ〜２１Ｄの回転駆動系（例えば、駆動モータ２６）への負担を低減することができる。
【００４８】
カム機構３６は、モノクロ画像形成処理が終了した後に、感光体ドラム２１Ａ〜２１Ｄと中間転写ベルト３１との当接状態を離間状態に切り替えず、また、駆動モータ２６は、モノクロ画像形成処理が終了した後に、感光体ドラム２１Ｂ〜２１Ｄを逆回転させないことが好ましい。
【００４９】
モノクロ画像形成処理が終了した後は、感光体ドラム２１Ｂ〜２１Ｄとクリーニングブレード２５０Ｂ〜２５０Ｄとの間にトナーＴがたまることがないため、感光体ドラム２１Ａ〜２１Ｄと中間転写ベルト３１との当接状態を離間状態に切り替えて感光体ドラム２１Ｂ〜２１Ｄを逆回転させる必要がない。したがって、感光体ドラム２１Ｂ〜２１Ｄの寿命への影響を低減することができるとともに感光体ドラム２１Ｂ〜２１Ｄの回転駆動系（例えば、駆動モータ２６）への負担を低減することができる。
【００５０】
また、駆動モータ２６は、感光体ドラム２１Ａを逆回転させないことが好ましい。
【００５１】
ブラックトナーは、すり抜けによる画像不良の発生の原因となることがないため、感光体ドラム２１Ａを逆回転させる必要がない。したがって、感光体ドラム２１Ａの寿命への影響を低減することができるとともに感光体ドラム２１Ａの回転駆動系（例えば、駆動モータ２６）への負担を低減することができる。
【００５２】
さらに、駆動モータ２６は、感光体ドラム２１Ｂ〜２１Ｄを微小角度逆回転させるだけでよい。
【００５３】
感光体ドラム２１Ｂ〜２１Ｄの逆回転量が微小角度であっても、トナーＴのすり抜けによる画像不良の発生を防止することができる。したがって、感光体ドラム２１Ｂ〜２１Ｄの寿命への影響を低減することができるとともに感光体ドラム２１Ｂ〜２１Ｄの回転駆動系（例えば、駆動モータ２６）への負担を低減することができる。
【００５４】
具体的には、駆動モータ２６は、感光体ドラム２１Ｂ〜２１Ｄとクリーニングブレード２５０Ｂ〜２５０Ｄとの間にたまったトナーＴの圧力を解除する角度だけ感光体ドラム２１Ｂ〜２１Ｄを逆回転させるだけでよい。
【００５５】
感光体ドラム２１Ｂ〜２１Ｄとクリーニングブレード２５０Ｂ〜２５０Ｄとの間にたまったトナーＴの圧力を解除すれば、トナーＴのすり抜けによる画像不良の発生を防止することができる。したがって、感光体ドラム２１Ｂ〜２１Ｄの寿命への影響を低減することができるとともに感光体ドラム２１Ｂ〜２１Ｄの回転駆動系（例えば、駆動モータ２６）への負担を低減することができる。
【００５６】
より具体的には、駆動モータ２６は、感光体ドラム２１Ｂ〜２１Ｄを周長数ミリ逆回転させるだけでよい。
【００５７】
感光体ドラム２１Ｂ〜２１Ｄを周長数ミリ逆回転させれば、感光体ドラム２１Ｂ〜２１Ｄとクリーニングブレード２５０Ｂ〜２５０Ｄとの間にたまったトナーＴの圧力を解除することができるため、トナーＴのすり抜けによる画像不良の発生を防止することができる。したがって、感光体ドラム２１Ｂ〜２１Ｄの寿命への影響を低減することができるとともに感光体ドラム２１Ｂ〜２１Ｄの回転駆動系（例えば、駆動モータ２６）への負担を低減することができる。
【００５８】
なお、本実施形態においては、逆回転機構として駆動モータ２６を例にとって説明したが、これに限られるものではない。例えば、図８に示すような構造を逆回転機構として採用してもよい。
【００５９】
すなわち、感光体ドラム２１Ｂの回転駆動系のギア２７に支軸２７Ａを設け、感光体ドラム２１Ｂの近傍に支軸２７Ｂを設け、支軸２７Ａ,２７Ｂで引っ張りバネ２８を支持することにより、ギア２７を介して感光体ドラム２１Ｂを付勢する構成である。この構成における支軸２７Ａ,２７Ｂおよび引っ張りバネ２８は、本発明の逆回転機構に相当する。なお、感光体ドラム２１Ｃ，２１Ｄについても同様の構成を有する。
【００６０】
さらに、この構成に図示しないクラッチを使用することにより、カラー画像形成処理が終わって感光体ドラム２１Ａ〜２１Ｄと中間転写ベルト３１とが離間状態に切り替えられてから、感光体ドラム２１Ｂ〜２１Ｄを逆回転させることができる。
【００６１】
この構成では、駆動モータ２６によって感光体ドラム２１Ｂ〜２１Ｄを逆回転させる必要がないため、感光体ドラム２１Ｂ〜２１Ｄの回転駆動系（例えば、駆動モータ２６）への負担を低減することができる。
【００６２】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６３】
１０  −画像形成装置
２１Ａ−感光体ドラム
２１Ｂ−感光体ドラム
２１Ｃ−感光体ドラム
２１Ｄ−感光体ドラム
２６  −駆動モータ
２７Ａ−支軸
２７Ｂ−支軸
２８  −引っ張りバネ
３１  −中間転写ベルト
３６  −カム機構
２５０Ａ−クリーニングブレード
２５０Ｂ−クリーニングブレード
２５０Ｃ−クリーニングブレード
２５０Ｄ−クリーニングブレード
【図１】
0005167386.tif 000002
【図２】
0005167386.tif 000003
【図３】
0005167386.tif 000004
【図４】
0005167386.tif 000005
【図５】
0005167386.tif 000006
【図６】
0005167386.tif 000007
【図７】
0005167386.tif 000008
【図８】
0005167386.tif 000009